(57)【要約】会合またはグループのイベントにおいて、携帯電話やページャーのような携帯機器を持っている人達は、重要なメッセージを受け取るときや特定の人、特定のグループから至急のコールが来るときにはそれを個別に知らせてもらい、あるいは、会合やグループイベントを妨害するような警報音なしにコールを受けたいであろう。そのような知らせを伝達するために、受信したコミュニケーションに関連するユニークな振動パターンにしたがって携帯機器を振動させる触覚警報(tactile alert)が提供されている。コミュニケーションが受け取られるとき、ソースアドレスを分類してグループ分けしたどのグループメンバーからのコミュニケーションかに基づいて、グループ識別（ＩＤ）が割り当てられる。携帯機器はグループＩＤをユニークな振動パターンに関連させる。警報を提供するために、携帯機器はユニークな振動パターンによって振動する。【選択図】    図２
2009524366.tif 000002
【特許請求の範囲】
【請求項１】
携帯機器において触覚警報を伝える方法であって、
前記方法は、
分類されたソースアドレスから受け取られたコミュニケーションに対してグループＩＤを割り当てることと、
前記グループＩＤをユニークな振動パターンに関連させることと、
前記ユニークな振動パターンによって前記携帯機器を振動させることと、
を備える。
【請求項２】
前記携帯機器は携帯電話であって、前記コミュニケーションは電話呼び出しである、請求項１に記載の方法。
【請求項３】
前記携帯機器は携帯電話であって、前記コミュニケーションはテキストメッセージである、請求項１に記載の方法。
【請求項４】
前記携帯機器は携帯電話であって、前記コミュニケーションは来たるイベントのための時間警報である、請求項１に記載の方法。
【請求項５】
前記携帯機器はページャーである、請求項１に記載の方法。
【請求項６】
前記ユニークな振動パターンはユーザ指定の振動パターンである、請求項１に記載の方法。
【請求項７】
前記ユニークな振動パターンはモールス符号の振動パターンである、請求項１に記載の方法。
【請求項８】
前記ユニークな振動パターンは無振動パターンである、請求項１に記載の方法。
【請求項９】
さらに、前記分類されたソースアドレスを高いレスポンスソースアドレスとして決定することと、
前記高いレスポンスソースアドレスを前記ユニークな振動パターンとして高いレスポンス振動パターンに関連させることと、
を備える、請求項１に記載の方法。
【請求項１０】
さらに、時間緊急表示を生成するために、同一の高いレスポンスソースアドレスから受け取られたコミュニケーション間の時間間隔を決定することと、
前記時間緊急表示に基づいて前記ユニークな振動パターンを決定することと、
を備える、請求項９に記載の方法。
【請求項１１】
さらに、反復緊急表示を生成するために、同一の高いレスポンスソースアドレスからのコミュニケーションの数を決定することと、
前記反復緊急表示に基づいて前記ユニークな振動パターンを決定することと、
を備える、請求項９に記載の方法。
【請求項１２】
さらに、選択された電話番号をグループに分類することと、
複数の振動パターンを確立することと、
振動パターンを前記選択された電話番号のグループに関連させることと、
を備える、請求項４に記載の方法。
【請求項１３】
さらに、高いレスポンス基準のセットを確立することと、
前記高いレスポンス基準を前記選択された電話番号の各グループに関連させることと、
を備えた、請求項１２に記載の方法。
【請求項１４】
携帯機器において触覚警報を伝えるための装置であって、
前記装置は、
入って来るコミュニケーションを受けるように構成されたレシーバと、
警報処理タスクを実行するためにプロセッサとプログラムメモリを有するプロセッサ複合体と、
前記入って来るコミュニケーションを分類するための1つ以上の警報処理タスクを有し、かつ、分類された前記入って来るコミュニケーションに対してユニークな振動パターンを決定するように構成された警報処理コンポーネンと、
前記触覚警報を伝える前記ユニークな振動パターンによって前記携帯機器を振動させるように構成された振動ユニットと、
を備える。
【請求項１５】
前記入って来るコミュニケーションは電話呼び出しであり、
前記警報処理コンポーネントは、
受信された前記入って来るコミュニケーションに対して、発信者の電話番号を決定するように構成された信号プロトコル処理タスクと、
前記発信者の電話番号がコンタクトグループに関連しているかどうかを決定するように構成されたコンタクトグループ決定タスクと、
決定された前記コンタクトグループに基づいて、振動パターンを選択するように構成された振動パターン決定タスクと、
を備える、請求項１４に記載の装置。
【請求項１６】
前記入って来るコミュニケーションはテキストメッセージであり、
前記警報処理コンポーネントは、
受信された前記入って来るコミュニケーションに対して、メッセージソースアドレスを決定するように構成されたテキストメッセージ処理タスクと、
前記メッセージソースアドレスが前記コンタクトグループに関連しているかどうかを決定するように構成されたコンタクトグループ決定タスクと、
決定された前記コンタクトグループに基づいて、振動パターンを選択するように構成された振動パターン決定タスクと、
を備える、請求項１４に記載の装置。
【請求項１７】
プログラムコードが格納されたコンピュータ読取り可能な媒体であって、前記媒体は、
分類されたソースアドレスもしくは時間警報から受け取られたコミュニケーションに対してグループ識別（ＩＤ）を割り当てるためのプログラムコードと、
前記グループＩＤをユニークな振動パターンに関連させるためのプログラムコードと、
触覚警報を伝えるために前記ユニークな振動パターンによって前記携帯機器を振動させるためのプログラムコードと、
を備える。
【請求項１８】
さらに、前記グループＩＤに基づいて、前記ユニークな振動パターンのセットを含んでいるファイルからユニークな振動パターンを選択するためのプログラムコードを備える、請求項１７に記載のコンピュータが読み取り可能な媒体。
【請求項１９】
さらに、前記グループＩＤに基づいて、高いレスポンス変更子基準のセットを含んでいるファイルから高いレスポンス変更基準を選択するためのプログラムコードを備える、請求項１８に記載のコンピュータ読取り可能な媒体。
【請求項２０】
さらに、前記ユニークな振動パターンのセットを含んでいる前記ファイルから選ばれた振動パターンと、前記高いレスポンス変更基準を含んでいる前記ファイルから選ばれた高いレスポンス変更基準とに基づいて、変更された振動パターンを生成するためのプログラムコードと、
変更された振動パターンによって前記携帯機器を振動させるために、前記変更された振動パターンを振動ユニットドライバーに供給するためのプログラムコードと、
を備える、請求項１７に記載のコンピュータ読取り可能な媒体。
【発明の詳細な説明】
【米国特許法第１１９条による優先権の主張】
【０００１】
この特許出願は、２００６年１月１９日に出願され、本願の譲受人に譲渡された「振動パターンを着信音のグループに関連させる方法および装置」と題する仮出願第６０／７６０，１１１号の優先権を主張し、ここに参照によって明白に組み入れられる。
【技術分野】
【０００２】
本発明は、一般に、モバイル通信デバイスに関し、特に、モバイル通信デバイスのユーザに触覚手段によって情報を伝えるための技術に関する。
【背景技術】
【０００３】
携帯電話、ページャー、パーソナルデータアシスタント（ＰＤＡ）、ポータブル・インベントリー・ツール、ノート型コンピュータなどのモバイル通信デバイスに入ってくるメッセージやコールは、種々さまざまな着信呼び出し音などの音による警報をトリガする。
【０００４】
鳴音あるいは着信音は、もともとはケーブル付の電話機で使われ、単一の鳴音周波数、単一の鳴音期間が一般であった。携帯電話においては、着信音は1台の電話の音を他の多くの電話の異なる音から区別し、かつユーザの好みに合わせて着信音を個別化するためにカスタマイズすることができる。
【０００５】
モバイルデバイスは、また、ユーザに、モバイルデバイスに格納された個人用の電話帳で特定の着信音を特定のエントリーに関連づけさせることができる。着信音は、音楽、あるいは滝の音、伝統的な鳴音、特殊効果音などのような他の可聴音として格納され得る。着信音を選択する柔軟性と多数の着信音を格納するキャパシティは、着信音としてポピュラー音楽セグメントの使用を促進し、それはダウンロード可能な音楽着信音を一定の価格で提供する会社により商業的成功を収めた。
【０００６】
多くの携帯電話は、また、入ってくるコールやテキストメッセージをユーザに警報するために、着信音と共に使用され得る振動警報をサポートする。振動警報は、また、切られてもよく、あるいは着信音なしで使用されてもよい。振動警報機能は、着信音がよく聞こえないような騒々しい環境や、教会、映画館、劇場のような進行中のイベントの邪魔になるかも知れない場所におけるユーザへの警報、あるいは聴覚障害者による使用に役立つ。携帯機器が目に入らない時であっても認識されるに十分な強度の振動レベルを提供するために、多くのモバイルデバイスが振動を引き起こすために偏心ウェイトの埋め込みモータを採用している。
【０００７】
今日の携帯機器の増殖およびそれらの使用法の増加により、着信音は、例えば、ビジネスの集まりや家族の集まりのような幅広い様々な状況で扱うための刺激となることができる。
【発明の開示】
【概要】
【０００８】
いくつかの態様において、この開示は、低価格携帯機器の到来に伴って会議やグループイベントで大多数の人々がおそらく携帯電話かページャーのような携帯機器を所有し、さらに、重要なメッセージが受け取られる時や特定の人あるいは選択されたグループの人から至急のコールが入った時はそれを個別に知ることを望み、あるいは来たる重要なイベントへの警報を望むであろうと認識する。本発明の１つの実施例は、携帯機器上の触覚警報を伝える方法である。コミュニケーションが受け取られるとき、グループ識別（ＩＤ）は、分類されたソースアドレスグループのメンバーであるコミュニケーションに基づいて割り当てられる。携帯機器は、グループＩＤをユニークな振動パターンに関連させる。警報を提供するために、携帯機器はユニークな振動パターンによって振動する。
【０００９】
本発明の他の実施例は、携帯機器上の触覚警報を伝えるための装置を記述する。レシーバは入って来る知らせを受けるために使用される。プロセッサとプログラムメモリを有するプロセッサ複合体は、警報処理タスクを実行する。1つ以上の警報処理タスクを有する警報処理コンポーネントは、入って来るコミュニケーションを分類し、分類されたコミュニケーションに対するユニークな振動パターンを決定する。振動ユニットは、触覚警報を伝えるために、ユニークな振動パターンによって携帯機器を振動させる。
【００１０】
本発明の他の態様による他の実施例は、携帯機器上の触覚警報を伝えるために作動する、コンピュータが実行可能な命令を格納するコンピュータ読取り可能な媒体を記述する。コンピュータが実行可能な命令は、分類されたソースアドレスか時間警報から受け取られたコミュニケーションに対してグループＩＤを割り当て、また、グループＩＤをユニークな振動パターンに関連させるために実行される。携帯機器は、触覚警報を伝えるためにユニークな振動パターンによって振動する。
【００１１】
本発明の種々の実施例が例として記述された以下の詳細な説明から、当業者にとって本発明の他の実施例は容易に明白になるであろう。理解されるように、本発明は他の異なる実施例が可能で、そのいくつかの詳細は、本発明から外れることなく、他の種々の点において変形が可能である。従って、図および詳細な記述は制限的ではなく、本質を示す例としてみなされるべきである。
【詳細な説明】
【００１２】
添付の図面と関連して以下に述べられた詳細な記述は、本発明の様々な典型的な実施例の記述として意図され、本発明が実行され得るただそれだけの実施例を表わすようには意図されない。詳細な記述は、本発明についての完全な理解を提供する目的で特定の詳細を含んでいる。しかしながら、本発明がこれらの特定の詳細なしで実行されてもよいことは当業者に明白であろう。いくつかの場合では、よく知られた構成やコンポーネントは、本発明の概念をあいまいにしないようにするためにブロックダイヤグラムの形で示される。
【００１３】
図1は、発明の実施例が有利に使用され得る典型的な無線通信システム100を示す。例示の目的のために、図1は３つの遠隔ユニット120、130、150および２つの基地局140を示す。典型的な無線通信システムは、より多くの遠隔ユニットおよび基地局を持っていてもよいことが認識されよう。遠隔ユニット120、130および150は、それぞれコンポーネント125A、125Cおよび125Bで表わされるように、ハードウェアコンポーネント、ソフトウェアコンポーネントあるいはその両方を含み、それは、以下に議論されるように本発明の具体化に適応されている。図1は基地局140から遠隔ユニット120、130、150への順方向リンクシグナル180、および、遠隔ユニット120、130、150から基地局140への逆方向リンクシグナル190を示す。
【００１４】
図1で、遠隔ユニット120は携帯電話として示され、遠隔ユニット130はポータブルコンピュータとして示され、また、遠隔ユニット150はワイヤレス・ローカル・ループ・システムにおける固定ロケーションの遠隔ユニットとして示される。例えば、遠隔ユニットは、携帯電話、ページャー、ウォーキー・トーキー、携帯型パーソナル通信システム（ＰＣＳ）ユニット、パーソナルデータアシスタントのようなポータブルデータユニット、あるいはメータの読み取り設備のような固定ロケーションのデータユニットであってよい。図1は発明の教示に従って遠隔ユニットを示すが、発明はこれらの典型的な図解されたユニットに制限されない。発明は、着呼やデータ受取などのユーザに対して警報するための制御可能な振動ユニットを持っている任意のデバイスにおいて、適切に実施することができる。
【００１５】
図2は、本発明の実施例による無線デバイスの振動制御装置200のブロックダイヤグラムである。無線デバイス振動制御装置200は、図１のコンポーネント125A、125Bおよび125Cのような種々様々のコンポーネント内、あるいはその一部として有利に使用される。無線デバイス振動制御装置200はラジオ206、警報処理コンポーネント208、プロセッサ複合体210および振動ユニット212を含む。ラジオ206は、様々な無線周波数で情報を受信および送信し、その情報を警報処理コンポーネント208に通信する。警報処理コンポーネント208はプロセッサ複合体210の管理の下で作動し、ラジオ206で通信された情報を処理し、また、振動ユニット212をコントロールする。例えば、警報処理コンポーネント208は、プログラム可能なハードウェア・ステートマシンから成ってもよく、あるいは有利に、ユニークな機能の柔軟性とプログラム化可能を許容するソフトウェアタスクから成ってもよい。プロセッサ複合体210は、モバイルデバイスにより求められるようなプログラムメモリ、データメモリおよび周辺インターフェースと共に、単一もしくは複数のプロセッサから成ってもよい。プロセッサ複合体210は、さらに、時間警報ＩＤ214の生成のような、モバイルデバイスに求められる追加の機能や特徴をサポートする。時間警報ＩＤは、会議または約束のような、来たるイベントをユーザに警報するために使用される。振動ユニット212は、電子ドライブ回路、および、例えば偏心ウェイトを有するモータ、ピエゾ電気デバイスあるいは広範囲の振動パターンで選択制御ができる特殊なバイブレータのような、振動を発生するデバイスを適切に備える。
【００１６】
本発明の一実施例における警報処理コンポーネント208は、振動ユニット212をコントロールするために動作するタスクセットとして組み立てられる。セットアップ設定の後、警報処理コンポーネント208は、例えば、ラジオ206から受信された着呼の受け取りで作動する。ラジオ206が着呼を検知すると、シグナリングプロトコル処理タスク216に通知され、着呼の電話番号218が決定される。着呼の電話番号218はコンタクトグループ決定タスク220に伝えられ、着呼の電話番号218があらかじめセットされた電話番号グループの一部であるかが決定され、あるいは、どのグループにも割り当てられていない電話番号として示される。電話番号218が先に決められたグループの電話番号の一部分であるとわかった場合、決定された番号グループの表示が振動パターンの決定タスク224に送られる。
【００１７】
電話番号218は、また、高いレスポンス変更子(elevated response modifier)の決定タスク222に伝えられ、高いレスポンス変更子が着呼の電話番号に関係しているかどうか決定される。例えば、もし、同じ電話番号からの２番目の着呼が所定の時間内にあった場合、そのようなイベントは高いレスポンスの要求として評価することができよう。その後、高いレスポンス変更子は、振動パターン決定タスク224に送られる。振動パターン決定タスク224は、振動パターンリスト226から振動パターンを選び、振動パターンを生成し、着呼のグループおよび高いレスポンス変更子に基づいて振動パターンを変更する。決定された振動パターンは、振動を開始するために振動ユニット212に送られる。重要でないとみなされた電話番号からの着呼については、無振動パターンにセットアップされてもよい。無振動パターンは、仮に振動ユニットが使用可能であっても、そのような電話番号からの呼に対しては、携帯機器が触覚の警報を供給しないことを保証する。
【００１８】
本発明の他の実施例における警報処理コンポーネント208は、受信メッセージに対して警報処理するためのタスクセットとして組み立てられる。セットアップ設定の後、警報処理コンポーネント208は、ラジオ206から受信された受信メッセージの受け取りで作動する。例えば、ラジオ206が受信メッセージを検知すると、テキストメッセージ処理タスク230に通知され、メッセージソースアドレス232が決定される。メッセージソースアドレス232はコンタクトグループ決定タスク220に伝えられ、メッセージソースアドレス232が先にセットアップされたメッセージソースアドレスグループの一部であるかが決定され、あるいは、どのグループにも割り当てられないメッセージソースアドレスとして示される。メッセージソースアドレス232が先にセットアップされたグループの一部分であると決定された場合、決定されたメッセージグループの表示が振動パターン決定タスク224に送られる。高いレスポンス変更子もまた着呼電話番号のときと同様に受信メッセージに関連させることができ、高いレスポンス変更子の受信メッセージであることをユーザに通知することができる。
【００１９】
テキストメッセージは、発信元のソースアドレスからのものであっても、あるいは異なるソースアドレスから転送されたものであってもよい。テキストメッセージ処理タスク230は、転送されたアドレスから受け取ったテキストメッセージをテキストメッセージのオリジナルのソースアドレスに関連した振動パターンで処理するべきか、あるいは、転送ソースのソースアドレスを使うべきかを決定する。例えば、テキストメッセージが緊急表示で転送される場合、テキストメッセージはオリジナルメッセージのソースアドレスを決定するために検査される。その後、オリジナルのメッセージソースアドレスが現存するグループと比較される。現存するグループが見つかる場合は、そのグループに対する振動パターンが振動パターンとして使用される。現存するグループが見つからない場合は、デフォルトの緊急振動パターンが使用されてもよい。高いレスポンス変更子もまた着呼電話番号のときと同様に転送メッセージに関連させることができ、高いレスポンス変更子の転送メッセージであることをユーザに通知することができる。
【００２０】
本発明の他の実施例における警報処理コンポーネント208は、時間ベースのイベントに対する警報処理のためのタスクセットに組み込まれる。セットアップ設定後、警報処理コンポーネント208は、プロセッサ複合体210から受信された時間警報ＩＤ 214の受け取りによって作動する。例えば、プロセッサ複合体210が、タイムアウトあるいは予定されたイベントの現地時間ベースとの一致を検知する場合、それを警報処理コンポーネント208に通知する。時間警報ＩＤ214はコンタクトグループ決定タスク220に伝えられ、時間警報ＩＤ214が先にセットアップされている時間警告グループの一部分であるかを決定し、あるいはどのグループにも割り当てられない時間警報として示す。時間警報ＩＤ214が先にセットされたグループの一部分であると決定された場合、決定された時間警報グループの表示が振動パターン決定タスク224に送られる。高いレスポンス変更子もまた着呼電話番号のときと同様に時間警報に関連させることができ、高いレスポンス変更子の時間警報であることをユーザに通知することができる。
【００２１】
電話番号、テキストメッセージソースアドレスおよび期間は、緊急、ビジネス、家族、未知(unknown)、午前８時から午後５時、午後１０時以降、午前８時以前、のようなグループへ組み込まれてもよい。グループは、単一の電話番号、単一のテキストメッセージソースアドレスあるいは単一の特定の期間であり得る。グループは、また、高レベルの分類に割り当てられた複数のグループ、例えば、ビジネスクラスに割り当てられた複数のグループ、家族クラスに割り当てられた複数のグループ、および時間ベースのイベントクラスに割り当てられた複数の時間グループであってもよい。これらの様々なクラスは、例えば、ビジネスクラスからの通話による警報をすべて閉鎖して家族クラスからの通話のための警報を許可するなど、個別にコントロールすることができる。緊急クラスはデフォルト設定として閉鎖されないように最初に構成されてもよい。
【００２２】
図３Ａは、本発明の一実施例に従って、振動ユニットの第１の駆動電圧パターン300のグラフを示す。駆動電圧304、306および308（それぞれ、1ボルト、2ボルトおよび3ボルト）は、それぞれ、標準振動、中間の振動および高い振動に対応する。図３Ａにおいて、第１の駆動電圧パターン300は、固定のパルス期間と反復率で、中間に静止ギャップを有する標準電圧パルス期間を有するとして示されている。第１の駆動電圧パターンは、第１の電圧パルス列310、静止ギャップ312、第２の電圧パルス列314、静止ギャップ316および第３の電圧パルス列318から成る。振動ユニット212のような振動ユニットは、電圧パルスに応答して携帯機器を振動させる。ユニット212の振動は第１の駆動電圧パターン300を追跡し、情報を触覚で伝える。
【００２３】
図３Ｂは、発明の一実施例に従って、振動ユニットの第２の駆動電圧パターン330のグラフを示す。第２の駆動電圧パターン330では、振動レベルは、第１のパルス期間341と期間340の反復率（その後に短い静止ギャップ342）を有する中間レベルの駆動電圧334で始まる。その後、第２のパルス期間345および反復率を有する標準の振動レベル駆動電圧332が期間344の間加えられ、静止ギャップ346がそれに続く。次に、第１のパルス期間341と反復率を有する高い振動レベル駆動電圧336が期間348の間加えられ、静止ギャップ350がそれに続く。正の駆動電圧用の振動特性（これは負の電圧用とは異なる）をサポートする携帯機器に対して、負の高い振動レベル駆動電圧352のパルス列が期間354の間加えられる。第１の駆動電圧パターン300と比較して、第２の駆動電圧パターン330は、携帯機器が受け取ったメッセージをユーザに警報する際に、より大きな緊迫感を伝えるために利用され得る。いずれにせよ2つのパターンはユーザに異なる情報を容易に区別して伝えることができ、また、２つのパターンは、ユーザに異なる情報を伝えるために適用できる多くの異なるパターンの典型である。
【００２４】
図４は、本発明の一実施例に従って、振動制御装置の構成プロセス400を示す。
【００２５】
構成プロセス400では、まず、ブロック406で、選択された電話番号、メッセージおよび時間に基づく警報がグループに分類され、各グループにはユーザによってグループＩＤ番号が付される。振動パターンのリストがブロック408でセットアップされる。リストは、振動パターンのデフォルトリスト、ユーザにカスタマイズされた振動パターンセットなどを含んでもよい。また、高いレスポンス基準のセットがブロック410でセットアップされる。高いレスポンス基準の例は、選択されたグループあるいは選択された電話番号からの着呼の頻度、閾値としての最後の着呼からの時間間隔、プライオリティ通知の受け取り、前の呼び出しが答えられたかどうかに対する依存性などを含む。ブロック412では、ユニークな振動パターンが、選択されたグループに関連付けられる。ブロック414では、高いレスポンス基準が、選択されたグループに関連付けられる。
【００２６】
図５は、本発明の一実施例に従って、知的な振動(intelligent vibration)（ＩＶ）オペレーションのプロセス500を示す。プロセス500は、ブロック504で着呼から発信者の電話番号を受け取ることから始まる。決定ブロック506では、振動機能の使用が可能かどうかが決定される。振動機能が使用不可の場合、プロセス500はブロック504に戻り、次の着呼からの発信者の電話番号の受け取りを待つ。電話の処理は、振動警報を使用することなく、この呼び出しのために継続する。振動機能が使用可能である場合、処理はブロック508で継続し、発信者の電話番号が振動グループにあるかどうかが決定される。もし電話番号が振動グループに関連していない場合、プロセス500はブロック504に戻り、次の着呼からの電話番号の受け取りを待つ。もし発信者の電話番号が振動グループに関連している場合は、ブロック510で発信者の電話番号に対するグループＩＤが選択される。処理は決定ブロック512へと続き、512では発信者の電話番号がチェックされ、それが高いプライオリティを有しているかどうかが決定される。発信者からの呼び出しの電話番号が高いプライオリティを有していない場合、プロセス500はブロック514に進み、呼び出しの電話番号に対する振動パターンが決定される。ブロック514は振動(バイブ)パターンリスト516へのアクセスを有しており、パターンリスト516は、例えば、デフォルト・バイブパターンファイル518、ユーザ指定のバイブパターンファイル520、モールス符号のバイブパターンファイル522や、例えば高いプライオリティのバイブパターンファイル524のようなその他の振動パターンファイルなど、複数のファイルを含む。発信者からの呼び出しの電話番号に関連するグループＩＤは、振動パターンリスト516から適切な振動パターンへのアクセスを許可する。プロセス500はそしてブロック526に進み、振動ユニットドライバーを呼び出し、選択された振動パターンを開始する。
【００２７】
決定ブロック512において、もし呼び出しの電話番号が高いプライオリティを有すると決定された場合、プロセス500はブロック530に進み、呼び出しの電話番号に対する高いプライオリティ振動パターンが決定される。ブロック530は高いレスポンス変更子リスト532へのアクセスを有しており、このリストは、例えば、強度ファイル534、反復率ファイル536、着呼回数閾値ファイル538、ラストコール閾値ファイル540などのような複数のファイルを含む。強度ファイル534は、振動の強度を変えるための強度機能のリストを含む。反復率ファイル536は、様々な反復率のリストを含む。着呼回数閾値ファイル538は、電話番号のグループで分類された着呼回数の閾値のリストを含む。また、ラストコール閾値ファイル540は、ラストコールからの時間のリストを含む。発信者の電話番号に関連する高いレスポンス基準が決定され、そして、振動パターンリスト516から適切な振動パターンが選ばれる。この時点では、高いレスポンス変更子リスト532から適切な高いレスポンス変更子も選択されている。選択された振動パターンおよび選択された高いレスポンス変更子に基づいて、振動パターンがロック530で決定される。
【００２８】
その後、プロセス500はブロック542に進み、選択された振動パターンを開始するために振動ユニットドライバーが活性化される。
【００２９】
携帯機器での着呼の受け取りと類似の方法で、テキストメッセージもまた受け取られ、ソースアドレスによってグループに分類される。その後、ソースアドレスのグループのそれぞれはユニークな振動パターンに関連付けられ、また、高いレスポンス基準に関連付けられる。図６は、本発明の一実施例に従って、受信メッセージの受け取りに対する知的な振動（ＩＶ）オペレーションのプロセス600を示す。プロセス600はプロセス500のフォーマットに続き、メッセージ上で動作するために同様の処理ステップを使用する。
【００３０】
例として、ユーザは図２に示されるような触覚の振動制御機能を有する携帯機器を得る。ユーザは、仕事関係者のための複数のグループ、直接の家族のための１つのグループ、友達のための１つのグループ、緊急のイベントのための１つのグループ、未知(unknown)のグループおよび約束グループをセットアップすることによって、触覚の警報機能を使用するために携帯機器を構成する。未知のグループは、グループのうちのどれにもない電話番号とテキストメッセージのソースアドレスであることとしてセットアップされる。緊急のグループは、任意のグループに対して同じ電話番号からの５分以内の２つの呼び出しがある場合やテキストメッセージに対して緊急表示がある場合の、高いレスポンス基準の１つとして構成される。ユーザはビジネスグループおよび友達グループからの警報のための振動パターンをデフォルトリストから選択する。ユーザは、さらに直接の家族グループに対するユニークな振動パターンセットや緊急グループに対する特別の緊急振動パターンを指定し、また、未知のグループのための無振動を指定する。その後、ユーザは、例えば映画を見に行く途中で触覚警報機能を使用可能にし、呼び出し音が出ないようにする。映画館にいる間、どのグループでもない多くの通話およびテキストメッセージがユーザの携帯機器に到着し、また、たとえ携帯機器の触覚警報機能が可能となっていても、これらの通話とテキストメッセージを未知グループのメンバーとして分類し、振動警報は生じない。さらに、映画館での直接の家族メンバーからの呼び出しは、個別の触覚警報を引き起こす。映画の一部を逃したくないユーザは触覚警報を無視する。５分以内に同じ直接の家族の電話番号から２番目の電話が来た場合は、携帯機器は緊急グループに属する高いレスポンス要求として評価する。そして、携帯機器は特別の緊急振動パターンをもたらし、そのパターンで機器を振動させる。ユーザは特別の緊急振動を認識し、呼び出しに答えるために映画館を辞退する。
【００３１】
ここに示された実施例に関連して記述された様々な例示的な論理ブロック、モジュール、回路、要素および／またはコンポーネントは、汎用プロセッサ、デジタル信号プロセッサ（ＤＳＰ）、特定用途向けＩＣ（ＡＳＩＣ）、フィールドプログラマブルゲートアレイ（ＦＰＧＡ）あるいは他のプログラマブルロジックコンポーネント、個別のゲートやトランジスターロジック、個別のハードウェアコンポーネント、あるいはここに記述された機能を実行するためにデザインされたそれらの任意の組み合わせで実施もしくは実行されてよい。汎用プロセッサはマイクロプロセッサであってよいが、代替として、従来の任意のプロセッサ、コントローラ、マイクロコントローラあるいはステートマシンであってもよい。またプロセッサは、計算を行うコンポーネントの組み合わせ、例えば、ＤＳＰとマイクロプロセッサの組み合わせ、複数のマイクロプロセッサ、１つのＤＳＰコアと協力する1つ以上のマイクロプロセッサ、あるいは他のそのような構成として実施されてもよい。
【００３２】
ここに示された実施例に関して記述された方法は、ハードウェア、プロセッサによって実行されたソフトウェアモジュール、あるいは２つのコンビネーションで直接具体化されてもよい。ソフトウェアモジュールまたはプログラムコードは、ＲＡＭメモリ、フラッシュメモリー、ＲＯＭメモリ、ＥＰＲＯＭメモリ、ＥＥＰＲＯＭメモリ、レジスタ、ハードディスク、リムーバブルディスク、ＣＤ-ＲＯＭ、あるいは当該技術分野で既知の他の形式の記憶メディア中に存在してもよい。記憶メディアはプロセッサと結合され、プロセッサは記憶メディアから情報を読む取り、また情報メディアに情報を書き込むことができる。代替では、記憶メディアはプロセッサと一体化されてもよい。
【００３３】
本発明は現在の好ましい状況において示されているが、この技術は、この開示および請求項と一致する様々な状況に適合できることが認識されるであろう。例えば、本発明は主として着呼あるいは入って来るテキストメッセージの状況において示されている。しかし、本発明はさらに、携帯機器へプライオリティビデオクリップを転送する際に、ユーザに受信ビデオクリップを個別に知らせることにも適用できることが認識されよう。また、特定のハードウェアや生産ステップの変更は実現可能で、いずれも時間と共に発展することが期待されることも認識されよう。例えば、ここに一般的に記述されたプロセッサやプログラムは、技術プロセスが変化し、新しい技術プロセスが開発されるとともに、変化することが期待される。他のそのような変更や特定のデザインアプリケーションに適合するための修正は、当業者において明白であろう。
【図面の簡単な説明】
【００３４】
【図１】図1は無線通信システムを示す。
【図２】図2は無線デバイスの振動制御装置のブロックダイヤグラムである。
【図３Ａ】図3Aは、振動ユニットに対する第１の駆動電圧パターンのグラフを示す。
【図３Ｂ】図3Bは、振動ユニットに対する第２の駆動電圧パターンのグラフを示す。
【図４】図4は、振動制御装置を構成する過程を示す。
【図５】図5は、入ってくるコールを受け取るための知的な振動（ＩＶ）オペレーションのプロセスを示す。
【図６】図6は、入ってくるメッセージを受け取るための知的な振動（ＩＶ）オペレーションのプロセスを示す。
【図１】
2009524366.tif 000003
【図２】
2009524366.tif 000004
【図３Ａ】
2009524366.tif 000005
【図３Ｂ】
2009524366.tif 000006
【図４】
2009524366.tif 000007
【図５】
2009524366.tif 000008
【図６】
2009524366.tif 000009
【国際調査報告】
2009524366.tif 000010
2009524366.tif 000011
2009524366.tif 000012